(57)【特許請求の範囲】
【請求項１】
固定枠体と扉体とのいずれか一方の部材に取付けるケース体と、このケース体に取付けられた一方の取付プレートと、この一方の取付プレートに上下方向の回動中心軸を介して開閉自在に軸支され他方の部材に取付ける他方の取付プレートとを具備し、
前記ケース体に前記一方の取付プレートの取付け位置を前後方向に調整するプレート位置調整手段を設け、
このプレート位置調整手段は、前記ケース体に前後方向に移動可能に設けられた調整プレートと、前記ケース体に回動自在に設けられ前記調整プレートを前後方向に移動調整するカム体とを有し、
前記プレート位置調整手段は、前記調整プレートに対して前記一方の取付プレートを左右方向に設定位置を調整できるように構成され、
前記ケース体の底面にはねじ孔が形成され、前記調整プレートには前記ねじ孔に連通する前後方向の案内長孔が形成され、前記一方の取付プレートには前記案内長孔に連通する案内長孔が形成され、前記一方の取付プレートの前記案内長孔から前記調整プレートの前記案内長孔を介して前記ケース体の前記ねじ孔に螺着される固定ねじを有する
ことを特徴とする扉開閉装置。
【請求項２】
調整プレートは、その上下にケース体の上下に形成された前後方向の案内溝に係合した係合縁部を有するとともに、その略中間部にカム係合孔を有し、カム体は、ケース体に形成された軸受孔に回動自在に軸支されたカム軸を有するとともに、このカム軸を中心として偏心回動され前記調整プレートのカム係合孔に係合したカム面を有する
ことを特徴とする請求項１記載の扉開閉装置。
【請求項３】
ケース体は、プレート位置調整手段のカム体の操作部を露出させた切欠凹部を形成したケースカバーを有する
ことを特徴とする請求項１または２記載の扉開閉装置。
【発明の詳細な説明】
【０００１】
【発明の属する技術分野】
本発明は扉開閉装置に係り、たとえば、家具や建具等の出入口の一方側の固定枠体に前記出入口を開閉する扉体を開閉自在に取り付けるものに関する。
【０００２】
【従来の技術】
従来、この種の扉開閉装置としては、たとえば、固定枠体の上部に下面を開放した嵌合孔を有する軸受体を突設した一方の上部取付プレートを固着し、前記固定枠体の下部に上面を開放した嵌合孔を有する軸受体を突設した一方の下部取付プレートを固着する。また、前記固定枠体に開閉自在に取付ける扉体の上部には前記一方の上部取付プレートの軸受体の嵌合孔に下方から嵌合する回動中心軸を有する他方の上部取付プレートを固着し、この回動中心軸をコイルスプリングにて常時上方に向かって突出させ、前記扉体の下部には前記一方の下部取付プレートの軸受体の嵌合孔に上方から嵌合する回動中心軸を有する他方の下部取付プレートを固着する。
【０００３】
そして、固定枠体に固着した下部取付プレートの軸受体の嵌合孔に扉体の下部に固着した下部取付プレートの回動中心軸を上方から嵌合し、この扉体の上部に固着した上部取付プレートの回動中心軸をコイルスプリングに抗して下降させた状態で、この扉体にて上部取付プレートの回動中心軸の先端部を固定枠体に固着した上部取付プレートの軸受体の嵌合孔の直下に配置し、コイルスプリングの復帰力によって回動中心軸の上部を上部取付プレートの軸受体の嵌合孔内に嵌合し、固定枠体に扉体を開閉自在に取付ける構成のものがある。
【０００４】
【発明が解決しようとする課題】
前記扉開閉装置の構成では、固定枠体に扉体を簡単に開閉自在に取付けることができるが、この扉体を固定枠体に取付けた後にこの扉体を前後方向及び／または左右方向に建て付けを調整する場合には一方側の取付プレートの取付け位置を変更して調整しなければならず、その調整が簡単ではなく手数を要する、という問題がある。
【０００５】
そこで、扉体にプレートケースを固着し、このプレートケースに他方の取付プレートの基端部を係合し、この他方の取付プレートの基端部を前記プレートケースに螺合した回動により進退自在の調整ねじ及び固定ねじにて位置調整可能に取付け、前記プレートケースに前記他方の取付プレートの基端部並びに調整ねじ及び固定ねじを被覆するケースカバーを複数の取付ねじにて固着する構成のものもある。
【０００６】
しかし、この構成では、扉体を建て付け調整することは可能であるが、この場合には、すなわち、他方の取付プレートの取付け位置を調整する場合には、複数の取付ねじにてケースカバーを取り外し、他方の取付プレートの基端部を固定して固定ねじを弛緩し、調整ねじを回動操作して進退動するとともに、この調整ねじにて他方の取付プレートの基端部の取付け位置を調整し、この他方の取付プレートの基端部の設定位置を固定ねじの締め付け操作で固定し、最後にプレートケースにケースカバーを複数の取付ねじにて再び固着する必要があるので、扉体の建て付け調整が簡単ではなく多くの手数を要する、という問題がある。
【０００７】
本発明は、このような点に鑑みてなされたもので、扉体の建て付けを簡単に調整することができる扉開閉装置を提供することを目的とするものである。
【０００８】
【課題を解決するための手段】
請求項１記載の扉開閉装置は、固定枠体と扉体とのいずれか一方の部材に取付けるケース体と、このケース体に取付けられた一方の取付プレートと、この一方の取付プレートに上下方向の回動中心軸を介して開閉自在に軸支され他方の部材に取付ける他方の取付プレートとを具備し、前記ケース体に前記一方の取付プレートの取付け位置を前後方向に調整するプレート位置調整手段を設け、このプレート位置調整手段は、前記ケース体に前後方向に移動可能に設けられた調整プレートと、前記ケース体に回動自在に設けられ前記調整プレートを前後方向に移動調整するカム体とを有し、前記プレート位置調整手段は、前記調整プレートに対して前記一方の取付プレートを左右方向に設定位置を調整できるように構成され、前記ケース体の底面にはねじ孔が形成され、前記調整プレートには前記ねじ孔に連通する前後方向の案内長孔が形成され、前記一方の取付プレートには前記案内長孔に連通する案内長孔が形成され、前記一方の取付プレートの前記案内長孔から前記調整プレートの前記案内長孔を介して前記ケース体の前記ねじ孔に螺着される固定ねじを有するものである。
【０００９】
そして、プレート位置調整手段を調整操作することにより、一方の取付プレートの取付け位置が前後方向に簡単に調整され、したがって、扉体の建て付けが前後方向に簡単に調整される。
【００１０】
また、プレート位置調整手段のカム体を回動操作することにより、このカム体にて調整プレートが前後方向に移動調整され、したがって、扉体の建て付けが簡単に調整される。
【００１１】
請求項２記載の扉開閉装置は、請求項１記載の扉開閉装置において、調整プレートは、その上下にケース体の上下に形成された前後方向の案内溝に係合した係合縁部を有するとともに、その略中間部にカム係合孔を有し、カム体は、ケース体に形成された軸受孔に回動自在に軸支されたカム軸を有するとともに、このカム軸を中心として偏心回動され前記調整プレートのカム係合孔に係合したカム面を有するものである。
【００１２】
そして、プレート位置調整手段のカム体を回動操作することにより、そのカム面にて調整プレートのカム係合孔を介して調整プレートがケース体の前後方向の案内溝に沿って確実に前後方向に移動調整され、したがって、扉体の建て付けが簡単に調整される。また、カム体のカム面にて調整プレートが前後方向に簡単に微調整される。
【００１３】
請求項３記載の扉開閉装置は、請求項１または２記載の扉開閉装置において、ケース体は、プレート位置調整手段のカム体の操作部を露出させた切欠凹部を形成したケースカバーを有するものである。
【００１４】
そして、ケース体にケースカバーを取付けた状態のままで、このケースカバーの切欠凹部からプレート位置調整手段のカム体の操作部が回動操作され、このカム体にて調整プレートが簡単に調整操作される。
【００１５】
【発明の実施の形態】
以下、本発明の一実施の形態を添付図面を参照して説明する。
【００１６】
１は家具や建具等の出入口を構成する一方の部材としての上下方向の固定枠体で、この固定枠体１には上下に離間して配設された扉開閉装置２にて前記出入口を開閉する他方の部材としての上下方向の扉体３が開閉自在に取り付けられている。
【００１７】
前記扉開閉装置２は、前記固定枠体１に固定するケース体４を有している。このケース体４は、前記固定枠体１に形成された埋設凹部５に嵌合する嵌合突体６にて形成された平面視矩形状の収容凹部７を有し、この収容凹部７の開口縁部の上下部には前記埋設凹部５の開口縁部に固着するフランジ８がそれぞれ上下方向に向かって一体に突設され、この上下のフランジ８には複数の固定ねじ９を挿通する複数の取付孔１０がそれぞれ形成されている。
【００１８】
また、前記ケース体４の収容凹部７の底板１１の上下の縁部と前記収容凹部７の上下の側板１２との交差部には前後方向の案内溝１３がそれぞれ平行に形成され、この上下の案内溝１３の中間部に位置して前記底板１１の内側部には軸受孔１４が形成されているとともに、この底板１１の外側部には切欠凹部１５が形成され、この切欠凹部１５の上下に位置して底板１１にはねじ孔１６がそれぞれ形成されている。
【００１９】
つぎに、前記扉開閉装置２は前記ケース体４の収容凹部７内に前後方向に移動自在すなわち、進退自在に収容された調整プレート１７を有している。この調整プレート１７は、略矩形状に形成され、その外側上下縁部には前記収容凹部７の上下の案内溝１３内に前後方向に摺動自在に係合された係合縁部１８をそれぞれ有し、この上下の係合縁部１８の間の中間部にはねじ孔１９が形成され、このねじ孔１９と前記上下の係合縁部１８との間の上下部には前記収容凹部７の上下のねじ孔１６に連通する前後方向の案内長孔２０がそれぞれ形成されている。
【００２０】
また、前記調整プレート１７の内側上下部には軸受片２１がそれぞれ相対して平行に折り曲げ形成され、この上下の軸受片２１には相対して軸挿通孔２２がそれぞれ形成されている。また、前記上下の軸受片２１の間に位置して前記調整プレート１７の内側部には矩形状のカム係合孔２３が形成されている。
【００２１】
つぎに、前記扉開閉装置２は前記調整プレート１７を前後方向に設定位置を調整するカム体２４を有している。このカム体２４は、前記ケース体４に形成された軸受孔１４内に回動自在に挿通されたカム軸２５を有し、このカム軸２５の一端部の軸側部には前記調整プレート１７に形成されたカム係合孔２３に係合し前記カム軸２５を中心として偏心回転するカム面２６を有するカム突部２７が一体に形成されている。
【００２２】
また、前記カム軸２５の一端部には前記カム突部２７と一体で前記カム係合孔２３の開口縁部に沿って回転するカム軸２５より大径の円盤状のカム操作体２８が一体に形成され、このカム操作体２８の外側部にはドライバーを嵌合する＋字溝状の操作部２９が形成されている。
【００２３】
また、前記カム軸２５の他端部が前記ケース体４の軸受孔１４の外側部に位置してカム軸２５の回動を阻害しない状態で加締められて抜け止めされている。そして、前記操作部２９にてカム操作体２８を回動操作することにより、前記カム突部２７のカム面２６にて前記調整プレート１７が前後方向に設定位置が調整されるようになっている。
【００２４】
そして、前記ケース体４に前後方向に移動自在に設けられた前記調整プレート１７及びこの調整プレート１７を前後方向に移動調整するカム面２６を有する前記カム体２４にて第１のプレート位置調整手段Ａが構成されている。
【００２５】
つぎに、前記扉開閉装置２は前記調整プレート１７に回動自在に軸支された前後方向の一方の取付プレート３０を有している。この一方の取付プレート３０は、その内側上下部には前記調整プレート１７の上下の軸受片２１に当接する軸受片３１がそれぞれ相対して平行に折り曲げ形成され、この上下の軸受片３１には相対して軸挿通孔３２がそれぞれ形成されている。
【００２６】
そして、前記調整プレート１７の上下の軸受片２１に前記一方の取付プレート３０の上下の軸受片３１をそれぞれ当接した状態で、この上下の軸受片２１，３１の軸挿通孔２２，３２に上下方向の支軸３３がそれぞれ挿通支持され、この上下の支軸３３を中心として前記調整プレート１７に対して前記一方の取付プレート３０が左右方向に設定位置が調整されるようになっている。
【００２７】
また、前記上下の軸受片31の間に位置して前記一方の取付プレート30には調整孔34が形成されている。この調整孔34は、円形状の挿通孔35及びこの挿通孔35の左側部に連通形成された前後方向の係合溝36にて達磨孔状に形成されている。そして、前記係合溝36は前記調整プレート17のねじ孔19に連通するようになっている。
【００２８】
また、前記調整孔34の係合溝36の上下に位置して前記一方の取付プレート30には前後方向の案内長孔37がそれぞれ平行に形成されている。そして、前記上下の案内長孔37は前記調整プレート17の上下の案内長孔20に連通するようになっている。さらに、前記一方の取付プレート30は、その外側端部に上下方向の中空筒状体38が一体に形成されている。
【００２９】
つぎに、前記扉開閉装置２は前記一方の取付プレート３０を左右方向に設定位置を調整する調整ボルト３９を有している。この調整ボルト３９は、前記一方の取付プレート３０に形成された調整孔３４の挿通孔３５から前記調整プレート１７のねじ孔１９に対して回動により進退可能に螺合したねじ軸部４０を有し、このねじ軸部４０の先端部には前記調整孔３４の係合溝３６の開口縁部に当接する係合段部４１を介してこのねじ軸部４０の直径より小径で前記係合溝３６に挿通する挿通軸部４２が一体に突出されている。また、この挿通軸部４２の先端部に前記係合溝３６の開口縁部に当接する大径頭部４３が一体に形成され、この大径頭部４３にはドライバーを係合する＋字溝等の操作部４４が形成されている。
【００３０】
そして、前記ねじ孔１９を有する調整プレート１７及びこの調整プレート１７のねじ孔１９に回動により進退自在に螺着された前記調整ボルト３９にて前記一方の取付プレート３０を左右方向に設定位置を調整する第２のプレート位置調整手段Ｂが構成されている。
【００３１】
また、前記一方の取付プレート３０の上下の案内長孔３７から前記調整プレート１７の上下の案内長孔２０を介して前記ケース体４の上下のねじ孔１６に固定ねじ４５がそれぞれ進退可能に螺着され、この上下の固定ねじ４５は前記一方の取付プレート３０の上下の案内長孔３７の開口縁部に当接する大径頭部４６を有している。
【００３２】
そして、前記調整ボルト３９を回動により進退することにより、この調整ボルト３９の係合段部４１及び大径頭部４３にて前記一方の取付プレート３０が上下の支軸３３を中心として回動され、この一方の取付プレート３０が左右方向に設定位置が調整されるようになっている。また、この調整ボルト３９にて一方の取付プレート３０が所定の位置に設定された状態で、この一方の取付プレート３０は上下の固定ねじ４５にて固定されるようになっている。
【００３３】
つぎに、前記扉開閉装置２は前記ケース体４に取り付けるケースカバー４７を有している。このケースカバー４７は前記調整ボルト３９及び前記上下の固定ねじ４５を回動操作可能に開口した略コ字形状の切欠凹部４８を有し、この切欠凹部４８の内側縁部には前記カム体２４を回動操作可能に開口した略半円状の切欠凹部４９が形成されている。また、前記ケースカバー４７の上端部及び下端部には前記ケース体４の上下の各取付孔１０に連通しかつ前記各固定ねじ９をそれぞれ挿通する複数の挿通孔５０がそれぞれ形成されている。
【００３４】
つぎに、前記扉開閉装置２は前記一方の取付プレート３０の中空筒状体３８に上下方向の回動中心軸５１を介して回動自在にすなわち開閉自在に軸着する他方の取付プレート５２を有している。この他方の取付プレート５２は、前記扉体３の端面部に複数の固定ねじ５３にて固着される上下方向の取付板部５４を有し、この取付板部５４の上下方向の中間部により一方側の内側縁部には前記一方の取付プレート３０の中空筒状体３８に対向する上下方向の中空筒状体５５が一体に形成されている。
【００３５】
しかして、前記他方の取付プレート５２は、前記扉体３の端面部の上下に取り付け可能に形成されているもので、すなわち、他方の取付プレート５２は上下に反転することにより前記扉体３の端面部の上下に兼用するもので、前記扉体３の端面部の上部に取り付ける際には前記中空筒状体５５を下側に配置した状態で扉体３の端面部の上部に取り付け、前記扉体３の端面部の下部に取り付ける際には前記中空筒状体５５を上側に配置した状態で扉体３の端面部の下部に取り付けるようになっている。
【００３６】
そして、前記扉体３の端面部の上部に他方の取付プレート５２を固着する際には、前記中空筒状体５５の上端部及び下端部に中空筒状の軸ガイド部材５６がそれぞれ嵌着され、この上下の軸ガイド部材５６内に下方から前記回動中心軸５１が上下動自在に嵌挿されている。また、前記上端部の軸ガイド部材５６の下方部に位置して前記回動中心軸５１に突設されたストッパー５７と前記下端部の軸ガイド部材５６との間に位置して前記回動中心軸５１にはコイルスプリング５８が巻回されている。
【００３７】
そして、前記コイルスプリング５８にて前記回動中心軸５１が常時上方に向かって附勢され、この回動中心軸５１の上部が前記上端部の軸ガイド部材５６より上方に向かって突出されている。そうして、前記回動中心軸５１の上部は前記一方の取付プレート３０の中空筒状体３８内に固着された軸受体５９の嵌合孔６０に下方から嵌合されて回動自在に軸支されるようになっている。なお、６１は前記回動中心軸５１の下端部に突設されたストッパー兼用の摘み体である。
【００３８】
また、前記扉体３の端面部の下部に他方の取付プレート５２を固着する際には、前記中空筒状体５５の上部に固着されたナット体６２及びこのナット体６２に上下方向に進退可能に螺着されたボルト６３にて軸受体６４が上下位置調節自在に嵌合され、この軸受体６４の嵌合孔６５に前記一方の取付プレート３０の中空筒状体３８に固着された前記回動中心軸５１が下方から嵌合されて回動自在に軸支されるようになっている。しかして、前記上下の回動中心軸５１は同一軸線上に配置され、この上下の回動中心軸５１を中心として前記扉体３は固定枠体１に対して水平方向に開閉自在に取り付けられようになっている。
【００３９】
つぎに、前記一実施の形態の作用を説明する。
【００４０】
固定枠体１の上部及び下部に形成された埋設凹部５にはケース体４の嵌合突体６をそれぞれ嵌合するとともに、この上下のケース体４の上下のフランジ８を前記上下の埋設凹部５の開口縁部にそれぞれ当接し、この上下のケース体４のケースカバー４７の上下の複数の挿通孔５０から上下のフランジ８の複数の取付孔１０に挿通した複数の固定ねじ９にて上下のケース体４を固定枠体１の上部及び下部にそれぞれ固着する。
【００４１】
また、前記上下のケース体４の一方の取付プレート３０に対応する位置において、扉体３の取付端部の上部及び下部には他方の取付プレート５２の取付板部５４をそれぞれ複数の固定ねじ５３にて固着する。
【００４２】
つぎに、扉体３を持ち上げ、この扉体３の下部に固着された他方の取付プレート５２に突設された中空筒状体５５の軸受体６４を、扉体３を傾けて斜め上方から固定枠体１の下部に固着されたケース体４の一方の取付プレート３０の回動中心軸５１に向かって下降すると、この軸受体６４の嵌合孔６５内に下部の回動中心軸５１が回動自在に嵌合される。
【００４３】
また、扉体３の上部に固着された他方の取付プレート５２に突設された中空筒状体５５の回動中心軸５１を摘み体６１にてコイルスプリング５８に抗して下降させ、この回動中心軸５１の先端部を中空筒状体５５の上端部の軸ガイド部材５６内に収容させるとともに、下部の回動中心軸５１を中心として扉体３を引き起こす。
【００４４】
そして、この扉体３の上部の回動中心軸５１の先端部を上部のケース体４の一方の取付プレート３０の軸受体５９の嵌合孔６０の直下に位置合わせした状態で、この上部の回動中心軸５１の摘み体６１の下降保持を解除すると、この上部の回動中心軸５１はコイルスプリング５８の復帰力によって自動的に上昇され、この回動中心軸５１の上部が一方の取付プレート３０の軸受体５９の嵌合孔６０内に下方から回動自在に嵌合される。
【００４５】
したがって、固定枠体１には上下の扉開閉装置２にて扉体３が簡単に取付けられる。この際、上下の扉開閉装置２の上下の回動中心軸５１は上下方向に同一軸線上に配置されることにより、この上下の回動中心軸５１を中心として扉体３がスムーズに開閉回動自在に取付けられる。
【００４６】
つぎに、扉体３の建て付け状態により、この扉体３を前後方向に設定位置を調整する必要がある場合には、その状況に応じて上下のケース体４または上下いずれか一方のケース体４に固着されたケースカバー４７の左側の切欠凹部４８に露出した上下の固定ねじ４５をそれぞれ回動操作して弛緩すると、ケース体４の底板１１に固定された調整プレート１７及び一方の取付プレート３０の保持が解除される。
【００４７】
ついで、ケース体４に固着されたケースカバー４７の右側の切欠凹部４９に露出したカム体２４のカム操作体２８を回動操作すると、このカム操作体２８と一体のカム軸２５がケース体４の軸受孔１４に支持されて回動されるとともに、このカム軸２５と一体のカム突部２７がカム軸２５を中心として偏心回動される。
【００４８】
また、カム軸２５にてカム突部２７が偏心回動されると、このカム突部２７のカム面２６にて調整プレート１７のカム係合孔２３の開口縁部が押動され、この調整プレート１７は上下の係合縁部１８がケース体４の上下の案内溝１３に沿って、かつ、上下の案内長孔２０が上下の固定ねじ４５に沿って前後方向に移動調整される。
【００４９】
また、調整プレート１７が前後方向に移動調整されると、この調整プレート１７の上下の軸受片２１に軸着された上下の支軸３３にて上下の軸受片３１を介して一方の取付プレート３０は上下の案内長孔３７が上下の固定ねじ４５に沿って調整プレート１７の調整方向に連動される。また、調整プレート１７にて一方の取付プレート３０が前後方向に連動されると、この一方の取付プレート３０の回動中心軸５１にて他方の取付プレート５２が連動され、この他方の取付プレート５２を固着した扉体３が前後方向に移動調整される。
【００５０】
そして、扉体３を調整した設定位置においてケースカバー４７の左側の切欠凹部４８に露出した上下の固定ねじ４５をそれぞれ回動操作して締め付けると、この上下の固定ねじ４５にてケース体４の底板１１に調整プレート１７及び一方の取付プレート３０が固定される。
【００５１】
したがって、扉体３は前後方向に設定位置が簡単に調整されるとともに、この扉体３の前後方向の建て付けが簡単に適正状態に保持される。そして、このようにして、扉体３の前後方向の建て付け状態に応じてカム体２４を回動操作することにより、扉体３の前後方向の建て付けを簡単に微調整することができ、この扉体３は前後方向に不都合なく開閉調整することができる。
【００５２】
つぎに、扉体３の建て付け状態により、この扉体３を左右方向に設定位置を調整する必要がある場合には、その状況に応じて上下のケース体４または上下いずれか一方のケース体４に固着されたケースカバー４７の左側の切欠凹部４８に露出した上下の固定ねじ４５をそれぞれ回動操作して弛緩すると、ケース体４の底板１１に固定された調整プレート１７及び一方の取付プレート３０の保持が解除される。
【００５３】
この際、調整プレート１７の保持が解除されても、カム体２４は回動されることがないので、このカム体２４のカム面２６にてカム係合孔２３を介して調整プレート１７は設定位置で保持され前後方向に移動することが防止されている。
【００５４】
ついで、ケース体４に固着されたケースカバー４７の左側の切欠凹部４８に露出した調整ボルト３９の大径頭部４３を回動操作すると、この大径頭部４３と一体のねじ軸部４０が回動されるとともに、このねじ軸部４０が調整プレート１７のねじ孔１９に対して左右方向に進退動される。
【００５５】
また、調整ボルト３９のねじ軸部４０が左右方向に進退動されると、このねじ軸部４０に突設された挿通軸部４２の両側部の係合段部４１及び大径頭部４３にて一方の取付プレート３０に形成された調整孔３４の係合溝３６の開口縁部がねじ軸部４０の進退動に連動される。そして、この一方の取付プレート３０は調整プレート１７の上下の軸受片２１に軸着された上下の支軸３３を中心として調整ボルト３９のねじ軸部４０の進退動に連動され回動される。
【００５６】
また、一方の取付プレート３０が回動されると、この一方の取付プレート３０の回動中心軸５１にて他方の取付プレート５２が連動され、この他方の取付プレート５２を固着した扉体３が左右方向に移動調整される。そして、扉体３を調整した設定位置においてケースカバー４７の左側の切欠凹部４８に露出した上下の固定ねじ４５をそれぞれ回動操作して締め付けると、この上下の固定ねじ４５にてケース体４の底板１１に調整プレート１７及び一方の取付プレート３０が固定される。
【００５７】
したがって、扉体３は左右方向に設定位置が簡単に調整されるとともに、この扉体３の左右方向の建て付けが簡単に適正状態に保持される。そして、このようにして、扉体３の左右方向の建て付け状態に応じて調整ボルト３９を回動操作することにより、扉体３の左右方向の建て付けを簡単に微調整することができ、この扉体３は左右方向に不都合なく開閉調整することができる。
【００５８】
つぎに、前記実施の形態では、一方の取付プレート３０並びにこの一方の取付プレート３０を前後方向及び左右方向に調整する手段を有するケース体４は固定枠体１に取付ける一方、この一方の取付プレート３０に開閉自在に取付ける他方の取付プレート５２は扉体３に取付ける場合について説明したが、これに限らず、一方の取付プレート３０並びにこの一方の取付プレート３０を前後方向及び左右方向に調整する手段を有するケース体４は扉体３に取付けるとともに、この一方の取付プレート３０に開閉自在に取付ける他方の取付プレート５２は固定枠体１に取付けるようにしてもよい。
【００５９】
そして、前記実施の形態の場合と同様にカム体２４及び調整ボルト３９の一方または両方を回動操作することにより、扉体３は前後方向及び左右方向に建て付けを簡単に調整することができるとともに、この扉体３を前後方向及び左右方向に不都合なく開閉調整することができる。
【００６０】
【発明の効果】
請求項１の発明によれば、固定枠体と扉体とのいずれか一方の部材に取付けるケース体と、このケース体に取付けられた一方の取付プレートと、この一方の取付プレートに上下方向の回動中心軸を介して開閉自在に軸支され他方の部材に取付ける他方の取付プレートとを具備し、前記ケース体に前記一方の取付プレートの取付け位置を前後方向に調整するプレート位置調整手段を設けたので、このプレート位置調整手段を調整操作することにより、一方の取付プレートの取付け位置を前後方向に簡単に調整することができ、この一方の取付プレートに回動中心軸を介して開閉自在に軸支された他方の取付プレートを取付けた扉体の前後方向の建て付けを簡単に調整することができる。
【００６１】
また、プレート位置調整手段は、ケース体に前後方向に移動可能に設けられ一方の取付プレートを有する調整プレートと、前記ケース体に回動自在に設けられ前記調整プレートを前後方向に移動調整するカム体とを有するので、このカム体を回動操作することにより、調整プレートを前後方向に確実に移動調整することができ、この調整プレートにて一方の取付プレートを調整プレートの調整方向に連動でき、したがって、扉体の前後方向の建て付けを簡単に調整することができる。
【００６２】
請求項２の発明によれば、調整プレートは、その上下にケース体の上下に形成された前後方向の案内溝に係合した係合縁部を有するとともに、その略中間部にカム係合孔を有し、カム体は、ケース体に形成された軸受孔に回動自在に軸支されたカム軸を有するとともに、このカム軸を中心として偏心回動され前記調整プレートのカム係合孔に係合したカム面を有するので、このカム体の偏心回動されるカム面にてカム係合孔を介して調整プレートをケース体の案内溝に沿って前後方向にスムーズに移動調整することができ、しかも、カム体を回動調整することにより、調整プレートを介して一方の取付プレートを前後方向に確実に微調整することができ、したがって、扉体の前後方向の建て付けを簡単かつ確実に調整することができる。
【００６３】
請求項３の発明によれば、ケース体は、プレート位置調整手段のカム体の操作部を露出させた切欠凹部を形成したケースカバーを有するので、一方の取付プレートの取付け位置を調整する際に、ケース体からケースカバーを取り外すことなくケースカバーの切欠凹部からカム体の操作部を回動操作することができ、ケースカバーを着脱する手数を要せず、したがって、扉体を前後方向に簡単に建て付け調整することができる。
【図面の簡単な説明】
【図１】本発明の一実施の形態を示す扉開閉装置の要部の分解斜視図である。
【図２】同上扉体を取付けた扉開閉装置の一部を切り欠いた正面図である。
【図３】同上横断平面図である。
【図４】同上扉開閉装置の拡大正面図である。
【図５】同上横断平面図である。
【図６】同上側面図である。
【図７】同上調整プレートを一方側に調整した状態を示す説明図である。
【図８】同上調整プレートを他方側に調整した状態を示す説明図である。
【符号の説明】
１    固定枠体
３    扉体
４    ケース体
13    案内溝
14    軸受孔
16 ねじ孔
17    調整プレート
18    係合縁部
20 案内長孔
23    カム係合孔
24    カム体
25    カム軸
26    カム面
29    操作部
30    一方の取付プレート
37 案内長孔
45 固定ねじ
47    ケースカバー
49    切欠凹部
51    回動中心軸
52    他方の取付プレート
Ａ    プレート位置調整手段
【図１】
0003556751.tif 000002
【図２】
0003556751.tif 000003
【図３】
0003556751.tif 000004
【図４】
0003556751.tif 000005
【図５】
0003556751.tif 000006
【図６】
0003556751.tif 000007
【図７】
0003556751.tif 000008
【図８】
0003556751.tif 000009